(57)【特許請求の範囲】
【請求項１】
便器本体３の上端部の開口部に、前後方向で、かつ、略直線状の位置に在るように形成した左右一対の便座受け台５を設け、この便座受け台５に、可撓性を有する環状の便座６の上部を載置して、環状の便座６の他の部分を環状に張設し、この環状の便座６を便座受け台５に沿って駆動する便座駆動装置７を設け、かつ、回転する便座６を清掃する装置を設けた便座。
【請求項２】
便座６を清掃する装置を、洗浄水噴射ノズル１２にするとともに、動力によって駆動される清掃用ブラシ１４にした請求項１記載の便座。
【請求項３】
前記左右一対の環状の便座６の先端部側を、それぞれ対向する便座に対して拡開可能に形成した請求項１又は２に記載の便座。
【請求項４】
回転式便座の側面をそれぞれ覆うカバー２９を設け、このカバー２９は、便座受け台５、及び便座受け台５に載置された便座６とともに、カバー２９の後部近くの位置に在る縦方向の中心線３３を回動の中心として一方に回動し、この一方の回動により、カバー２９の先端部、便座受け台５の先端部、及び便座受け台５に載置された便座６の先端部が開き、そして、カバー２９、便座受け台５、及び便座受け台５に載置された便座６は、中心線３３を回動の中心として他方へ回動することにより、前記各先端部が狭まるように形成した請求項１〜３のいずれかに記載された便座。
【発明の詳細な説明】
【０００１】
【発明の属する技術分野】
本発明は、トイレに設置される便座に関する。
【０００２】
【従来の技術】
便鉢と、便鉢の上に配置される便座とを有する便器において、便鉢の後部に、便座を移動する駆動機構を有するケースと、ケースに内蔵され、便座を洗浄する洗浄装置と、駆動機構と洗浄装置とを制御する制御部とを備え、制御部は駆動機構及び洗浄装置に指示信号を出力し、駆動機構は便座をケースを支点として回動するとともにスライドし、洗浄装置はスライドの過程で便座を洗浄する洗浄装置付き便器は、本出願人が出願して公開された特開平６−３１１９４５号公報に記載されている。
【０００３】
【発明が解決しようとする課題】
前記特開平６−３１１９４５号公報に記載された発明は、大きな設置スペースを必要としない洗浄装置付きの便器を提供するものであるが、本発明は、さらに小さな設置スペースに設置できる洗浄装置付便器を可能にするための便座を提供することを課題とする。
また、本発明は、衛生的な便座を提供することを課題とする。
【０００４】
【課題を解決するための手段】
第１の発明は、便器本体３の上端部の開口部に、前後方向で、かつ、略直線状の位置に在るように形成した左右一対の便座受け台５を設け、この便座受け台５に、可撓性を有する環状の便座６の上部を載置して、環状の便座６の他の部分を環状に張設し、この環状の便座６を便座受け台５に沿って駆動する便座駆動装置７を設け、かつ、回転する便座６を清掃する装置を設けて便座とした。なお、前記環状の便座６の他の部分は、プーリーにて環状に張設するとよい。
【０００５】
第２の発明は、第１の発明において、便座６を清掃する装置を、洗浄水噴射ノズル１２にするとともに、動力によって駆動される清掃用ブラシ１４にして便座とした。
【０００６】
第３の発明は、第１または第２の発明において、前記左右一対の環状の便座６の先端部側を、それぞれ対向する便座に対して拡開可能に形成して便座とした。
第４の発明は、第１〜第３の発明のいずれかにおいて、便座の側面をそれぞれ覆うカバー２９を設け、このカバー２９は、便座受け台５、及び便座受け台５に載置された便座６とともに、カバー２９の後部近くの位置に在る縦方向の中心線３３を回動の中心として一方に回動し、この一方の回動により、カバー２９の先端部、便座受け台５の先端部、及び便座受け台５に載置された便座６の先端部が開き、そして、カバー２９、便座受け台５、及び便座受け台５に載置された便座６は、中心線３３を回動の中心として他方へ回動することにより、前記各先端部が狭まるように形成して便座とした。
【０００７】
【発明の実施の形態】
以下図に基づいて本発明の実施の形態の説明をする。図１から図１２は、本発明の便座（回転式便座）の実施の形態の説明用の図である。
【０００８】
この実施の形態は、図１及び図３に示すように、便器本体３の上端部の開口部に、上面が略直線状の位置に在るように形成した便座受け台５を、前後方向に並列してそれぞれ設けてある。
【０００９】
そして、このそれぞれの便座受け台５に、環状のエンドレスベルトに形成した可撓性を有する便座６の上部をそれぞれ載置する。
前記便座受け台５に載置された部分以外の便座６には、それぞれ図１に示すように、２箇のプーリー１６と、スプリング１８で押圧されたテンションプーリー１７、及びそれぞれ１箇の便座駆動装置７に設けたプーリーで、環状に設置されるように形成してある。そして、テンションプーリー１７に当接した便座６の外面は、便座支持用軸１９で押さえてある。
【００１０】
なお、前記便座受け台５と、便座受け台５の上方に位置する便座５との間は、使用者が腰掛けない状態において、若干の隙間が形成されるように設置しておくとよい。
【００１１】
便座６を清掃する装置である清掃用ブラシ１４は、清掃用モータ１５で、清掃用モータ１５に接続するプーリーを回転し、このプーリーで、ベルトを介して接続する清掃用ブラシ１４を回転させて、便座６の表面を清掃するように形成してある。
【００１２】
そして、清掃用ブラシ１４と便座６の表面は、洗浄水噴射ノズル１２から噴射する洗浄水で清掃し、洗浄した便座６の表面の水滴は、スクレーパ２１で掻き落とすと共に、送風機２０で乾燥するように形成してある。
【００１３】
前記洗浄水噴射ノズル１２は、噴射ノズル用電磁弁１３で制御するように形成してある。
そして、この実施の形態は、回転式便座の両側の側面をそれぞれ覆うカバー２９（図２、図３、図７、図１１、図１２に示す）を設けてある。なお、このカバー２９内は、水密に形成してあり、便座６を洗浄した洗浄水等が外部に飛散しないようになっている。そして、環状の便座６は、上部のみが外部に露出し、上部前端部及び上部後端部から下方の部分は、カバー２９内に収容されることとなる。
【００１４】
このカバー２９は、便座受け台５及び、便座受け台５に載置された便座６とともに、図１、図３及び図７などに示すように、それぞれカバー２９の後部近くの位置に縦に設置した軸を、回動の中心線３３として、水平方向に回動するように形成してある。
【００１５】
そして、前記軸を回動の中心線３３とする一方向への回動により、図１２に示すように、カバー２９の先端部と、便座受け台５の先端部、及び便座受け台５に載った便座６の先端部が開くように形成してある。
【００１６】
また、前記カバー２９などが、前記回動と反対向きに回動することにより、前記の各先端部間が図１１に示すように、狭まるように形成してある。
そして、前記カバー２９などは、図５及び図６に示すねじ軸４２が、図９に示す、カバー２９の回動の中心線３３より後方の位置で伸長（回転）することにより、カバー２９の先端部が、図７の２点鎖線で示したように、或は図１２で示したように開くように形成してある。
【００１７】
そして、ねじ軸４２が、図９に示す、カバー２９の回動の中心線３３より後方の位置で縮小することにより、カバー２９の先端部が、便器本体３の開口縁側部４を覆う位置に在るように形成してある。このねじ軸４２は、ねじ筒４３内に収納されており、モータ４０の駆動力が、歯車４４を介してねじ軸４２に伝達されるようになっている。なお、前記モータ４０は、便器の近傍に設置されたフットスイッチ４１の操作により作動する。
【００１８】
また、図３に示すように、回転式便座の両側面を覆うカバー２９は、下端部がそれぞれカバー２９の幅と同程度の幅程、外方に広げて固定されている。
したがって、カバー２９の垂直方向に設けた、回動の中心線３３は、図３に示すように、カバー２９を斜めに貫通することとなる。
【００１９】
そして、便座機構を支持する、図３に示す受台４５は、外側が中心線３３に挿通されている軸に内接しているので、垂直状となり、受台４５の内側はカバー２９に接するので傾斜している。また、軸（中心線３３）の上方には、この軸を支持する軸支持用板２８が設けられている。
【００２０】
そして、カバー２９はメンテナンス用カバーとして形成されており、内部機構の整備点検のために、取り外しができるようになっている。
以上のように本実施形態の便座によれば、便座の洗浄時を含む使用面積が、便座の上面自体と同程度で済むこととなる。すなわち、便器下部位置にて便座の洗浄を行えるので、便器後方等に洗浄装置に伴うスペースを必要としない。したがって、少ないスペースにて効率良く便座の清掃を行うことができる。
【００２１】
また、左右の便座先端側は、通常の状態よりも拡開できるように形成されているので、男性が便器の前方に立った姿勢で小水の排泄を行う際には、便座の汚れを極力防止することができる。
【００２２】
また、便座６は、トイレ１回の使用毎に清掃することが望ましいが、清掃に際しては、便座６を１回転させて終了すると、便座６表面の汚れが乾燥しないうちに効率良く清掃することができる。なお、所定回数（例えば１０回）の清掃毎に１回転以上２回転未満便座６を回転させて、便座受け台５の上方に、異なる便座６表面を位置させ、同一面の長期使用による劣化を防止するようにしてもよい。
【発明の効果】
本発明は、便座受け台５に、可撓性を有する環状の便座６の上部を載置して、環状の便座６の他の部分を環状に張設し、この環状の便座６を駆動する駆動装置７を設け、かつ、回転する便座６を清掃する装置を設けたものである。
【００２３】
したがって、本発明は、清掃装置付き便器を小形に形成できるものである。
また、便座６を清掃する装置を、洗浄水噴射ノズル１２にするとともに、動力によって駆動される清掃用ブラシ１４にした発明は、短時間で汚物の清掃ができるものである。
【００２４】
そして、便座受け台５、及び便座受け台５に載置された便座６とともに、カバー２９が一方に回動して、前記各部の先端部が開くようにした発明は、男性の小用時に前記各部の先端部が、飛散した小水に汚染されるのを防ぐことができるものである。
【図面の簡単な説明】
【図１】本発明の一実施の形態の説明用の図で、カバーを外した状態の側面図
【図２】本発明の一実施の形態の説明用の図で、カバーで覆われた部分の正面図
【図３】本発明の一実施の形態の説明用の正面図
【図４】本発明の一実施の形態の説明用の便座移動機構の正面図
【図５】本発明の一実施の形態の説明用の便座移動機構の歯車装置を示す図
【図６】本発明の一実施の形態の説明用の便座移動機構の歯車装置を示す図
【図７】本発明の一実施の形態の説明用の図で、一方の便座とカバーの先端部が開いた状態を２点鎖線で示す平面図
【図８】本発明の一実施の形態の説明用の図で、便座移動機構のねじ軸を示す平面図
【図９】本発明の一実施の形態の説明用の側面図
【図１０】本発明の一実施の形態の説明用の便座移動機構の側面図
【図１１】本発明の一実施の形態の説明用の図で、便座が使用状態に在る斜視図
【図１２】本発明の一実施の形態の説明用の図で、便座を男性が小用をするときの状態とした斜視図
【符号の説明】
３    便器本体
４    開口縁側部
５    便座受け台
６    便座
７    便座駆動装置
１２  洗浄水噴射ノズル
１４  清掃用ブラシ
１６  プーリー
１７  テンションプーリー
１９  便座支持用軸
２９  カバー
３３  カバー等の回動の中心（中心線）
【図１】
0004441081.tif 000002
【図２】
0004441081.tif 000003
【図３】
0004441081.tif 000004
【図４】
0004441081.tif 000005
【図５】
0004441081.tif 000006
【図６】
0004441081.tif 000007
【図７】
0004441081.tif 000008
【図８】
0004441081.tif 000009
【図９】
0004441081.tif 000010
【図１０】
0004441081.tif 000011
【図１１】
0004441081.tif 000012
【図１２】
0004441081.tif 000013